(57)【要約】      （修正有）【課題】５Ｗ１Ｈの要素を考慮したレイアウトを採用した手帳を提供する。【解決手段】手帳は、１ページまたは見開きページの横方向に向かって、少なくとも日時欄、内容欄、場所欄、相手欄、理由欄および手段欄を並べてある予定記入部を含む５Ｗ１Ｈを意識した予定記入ができ、視認性よくスケジュールの把握が可能となる。【選択図】図１
0003205290.tif 000002
【実用新案登録請求の範囲】
【請求項１】
１ページまたは見開きページの横方向に、少なくとも５Ｗ１Ｈの項目毎に区分けした欄を有する予定記入部を含むことを特徴とする、手帳。
【請求項２】
前記予定記入部が、１ページまたは見開きページの左から右に順に並べた日時欄、内容欄、場所欄、相手欄、理由欄および手段欄を少なくとも含むことを特徴とする、手帳。
【請求項３】
１ページまたは見開きページを１日分とし、
前記日時欄に、予め時刻を印刷してあることを特徴とする、請求項２に記載の手帳。
【請求項４】
１ページまたは見開きページを１週分、複数週分、１ヶ月分または１年分とし、
前記日時欄に、予め日付を印刷してあることを特徴とする、請求項２に記載の手帳。
【請求項５】
前記予定記入部の下方に、自由記入部を設けたことを特徴とする、請求項１乃至４のうち何れか１項に記載の手帳。
【考案の詳細な説明】
【技術分野】
【０００１】
本考案は、手帳に関する。
【背景技術】
【０００２】
手帳には、年間予定表、月間予定表、１日１頁予定表などの各ページが１ページ毎の構成または見開きページの構成で綴じ込まれている。
これらの予定表は、種々のレイアウトが採用されている。
例えば、本出願人は、以前に以下の特許文献１に記載の手帳を着想した。
特許文献１に記載の手帳は、見開きページにおいて、予定記入欄と、前記予定記入欄の周囲に設けたメモ欄とで構成することで、自由な発想によるメモの記入の実現や、一覧性の向上などの効果を実現している。
【先行技術文献】
【特許文献】
【０００３】
【特許文献１】実用新案登録３１７１８６１号公報
【考案の概要】
【考案が解決しようとする課題】
【０００４】
ところで、情報伝達や文章作成のポイントとして、「いつ（Ｗｈｅｎ）、どこで（Ｗｈｅｒｅ）、だれが（Ｗｈｏ）、なにを（Ｗｈａｔ）、なぜ（Ｗｈｙ）、どのように（Ｈｏｗ）」の６種の項目からなる、いわゆる５Ｗ１Ｈの考え方が知られている。
【０００５】
しかし、従来の手帳においては、この５Ｗ１Ｈの要素を考慮したレイアウトを採用した製品は存在していなかった。これは、５Ｗ１Ｈの考え方が、第三者への情報伝達を明確とすることを主題としているため、記入者自身のスケジュール管理としての利便性があることついて、何人も着想・検討する余地が無かったからである。
この点、本件出願人は、手帳でのスケジュール管理として、５Ｗ１Ｈの手法の適用にあたり、その有益性を見出すことに成功した。
【０００６】
以上説明したとおり、本考案は、手帳でのスケジュール管理として５Ｗ１Ｈの手法を採用することで、使用者の行動や思考のインデックス化を可能とする手帳の提供を目的とする。
【課題を解決するための手段】
【０００７】
よって、本願の第１考案は、１ページまたは見開きページの横方向に、少なくとも５Ｗ１Ｈの項目毎に区分けした欄を有する予定記入部を含むことを特徴とする、手帳を提供するものである。
また、本願の第２考案は、前記第１考案に記載の手帳において、前記予定記入部が、１ページまたは見開きページの左から右に順に並べた日時欄、内容欄、場所欄、相手欄、理由欄および手段欄を少なくとも含むことを特徴とする。
また、本願の第３考案は、前記第２考案に記載の手帳において、１ページまたは見開きページを１日分とし、前記日時欄に、予め時刻を印刷してあることを特徴とする。
また、本願の第４考案は、前記第２考案に記載の手帳において、１ページまたは見開きページを１週分、複数週分、１ヶ月分または１年分とし、前記日時欄に、予め日付を印刷してあることを特徴とする。
また、本願の第５考案は、前記第１乃至４のうち何れかの考案に記載の手帳において、前記予定記入部の下方に、自由記入部を設けたことを特徴とする。
【考案の効果】
【０００８】
本考案によれば、以下に記載する効果のうち、少なくとも何れか１つの効果を得ることができる。
（１）１ページまたは見開きページの横方向に向かって、少なくとも５Ｗ１Ｈの項目毎に区分けした欄を有する予定記入部を設けることで、いわゆる５Ｗ１Ｈを意識した予定記入が可能となり、使用者の思考や行動をインデックス化して、シンプルに整理することができる。
（２）予定記入部を、１ページまたは見開きページの横方向に向かって、日時欄、内容欄、場所欄、相手欄、理由欄、手段欄の順に並べることで、視認性を高め、スケジュールの把握を容易とすることができる。
（３）過去の手帳を振り返ったときに、記入者自身が「いつ」「何を」「どこで」していたか、などの項目を瞬時に把握することができる。
（４）日時欄を空欄にしておくことにより、日時欄における時刻や日付の記入レイアウトを、手帳保有者が自由に設計できる。
（５）日時欄に予め時刻や日付を印刷しておくことで、手帳保有者の記入の手間を省くことができる。
（６）予定記入部の下方に自由記入部を設けることで、その他のメモ部や、ＴＯＤＯ記入部などの配置を行うことができる。
【図面の簡単な説明】
【０００９】
【図１】本考案に係る手帳の一例を示す概略図。
【考案を実施するための形態】
【００１０】
以下、図面を参照しながら、本考案の実施例について説明する。
【実施例１】
【００１１】
＜１＞全体構成
図１に示す、本考案に係る手帳は、１ページを１日分として構成し、見開きで２日分の予定を閲覧可能な構成を呈している。
この構成のうち、１ページ部分について着目すると、本ページは、予定記入部Ａと、自由記入部Ｂとを少なくとも含むように構成している。
そして、予定記入部Ａの上部には、日付表示部を設けている。
以下、各部の詳細について説明する。
【００１２】
＜２＞予定記入部
予定記入部Ａは、いわゆる５Ｗ１Ｈに相当する日時欄１０、内容欄２０、場所欄３０、相手欄４０、理由欄５０、手段欄６０の各記入欄を少なくとも含んでいる。本考案では、各記入欄を順不同に並んで構成することができる。
【００１３】
＜２．１＞各欄の配置態様
予定記入部Ａを構成する各欄の好ましい配置例として、図１に係る配置態様がある。
図１では、１ページの横方向（幅方向）に縦罫線で区分けされた六列の欄が形成されており、左から右へと、日時欄１０（Ｗｈｅｎ）、内容欄２０（Ｗｈａｔ）、場所欄３０（Ｗｈｅｒｅ）、相手欄４０（Ｗｈｏ）、理由欄５０（Ｗｈｙ）、手段欄６０（Ｈｏｗ）の順番で並列されている。
【００１４】
まず、日時欄１０（Ｗｈｅｎ）を最も左側に配置しておくことは通常一般的である。
そして、日時欄１０（Ｗｈｅｎ）の次には、内容欄２０（Ｗｈａｔ）および場所欄３０（Ｗｈｅｒｅ）を配置しておくと、日時とその日時に行うべき内容や場所がすぐに紐付いて視認できるため、使用の便宜上好ましい。
この点が、いわゆる５Ｗ１Ｈにおける、「いつ（Ｗｈｅｎ）、どこで（Ｗｈｅｒｅ）、だれが（Ｗｈｏ）、なにを（Ｗｈａｔ）、なぜ（Ｗｈｙ）、どのように（Ｈｏｗ）」の順番と異なっている。
【００１５】
＜２．２＞各欄の表題
なお、各欄の表題は、図１に示す表記に限定されず、例えば「いつ」「何を」「どこ」「だれ」「なぜ（何のために）」「どのように」など、５Ｗ１Ｈにおける同種の表記を行っても良い。
【００１６】
＜２．３＞各欄の幅
各欄の幅は、特段限定せず、任意の構成を採用することができる。
図１では、内容欄２０（Ｗｈａｔ）、場所欄３０（Ｗｈｅｒｅ）、相手欄４０（Ｗｈｏ）、理由欄５０（Ｗｈｙ）の４項目を等幅とし、日時欄１０（Ｗｈｅｎ）を前記４項目の各欄よりも狭くし、手段欄６０（Ｈｏｗ）を前記４項目の各欄よりも広くした構成としている。
これは、日時欄１０（Ｗｈｅｎ）は、日程や時刻を記入するため、多くの記入スペースを要しないこと、手段欄６０（Ｈｏｗ）は記載量が増える傾向にあるためである。
【００１７】
＜２．４＞日時欄の印刷の有無
図１では、日時欄１０（Ｗｈｅｎ）について、予め朝７時から深夜２４時まで１時間毎の時刻が予め紙面に印刷されており、これらの各時刻に合わせて横罫線によってその他の記入欄が区分けされている。
【００１８】
＜２．５＞横罫線の態様
前記横罫線のうち、所定間隔毎に、線色、濃度、太さ、線種などを変えることで、各記入欄の視認性を高めるように構成してもよい。図１では、１２時、１８時、２４時に相当する横罫線の濃度を濃くしている。
【００１９】
＜３＞自由記入部
自由記入部Ｂは、主として空欄から構成して自由記入を促す箇所である。
図１では、自由記入部Ｂを、空欄からなるメモ部７０と、左側に複数のチェックボックスを縦配置したＴＯＤＯ記入部８０とで構成している。
日時によらないメモ書きは、当該自由記入部Ｂを用いて記載すれば良い。
【００２０】
＜４＞作用・効果
このように、本考案に係る手帳によれば、１日の予定を５Ｗ１Ｈに分けて書くことで、複数のプロジェクトなどの複雑な予定や思考を、５Ｗ１Ｈに沿ってインデックス化することができる。よって、記入後の情報アクセスを短時間に行うことができ、効率の良いスケジューリングが可能となる。
また、過去の手帳を振り返ったときに、記入者自身が「いつ」「どこで」「何を」していたかを瞬時に把握することができる。
【実施例２】
【００２１】
本考案の第２実施例について説明する（図示せず）。
本考案に係る手帳は、日時欄１０（Ｗｈｅｎ）を予め空欄にしておくこともできる。
本実施例に係る手帳によれば、使用者の１日の稼働時間に合わせた時刻表記を使用者自身で記載したり、記入密度の高い期間は１時間毎の欄ではなく１０分おきの欄として設定したりするなど、使用者自身による自由なレイアウト設計が可能となる。
【実施例３】
【００２２】
本考案の第３実施例について説明する（図示せず）。
本考案に係る手帳は、１ページまたは見開きページを１週分、複数週分、１ヶ月分または１年分としておくことができる。
このとき日時欄１０は、予め日付を印刷しておいてもよいし、前記第２実施例のように空欄にしておいてもよい。
本実施例に係る手帳によれば、１週分、複数週分、１ヶ月分または１年分の予定を５Ｗ１Ｈに分けて書くことで、前記第１実施例と同じように、複数のプロジェクトなどの複雑な予定や思考を、５Ｗ１Ｈに沿ってインデックス化することができる。
【実施例４】
【００２３】
本考案の第４実施例について説明する（図示せず）。
本考案に係る手帳は、前記第１〜第３実施例に記載の手帳において、自由記入部Ｂを除いて予定記入部Ａのみからなるように構成してもよい。
【実施例５】
【００２４】
本考案の第５実施例について説明する（図示せず）。
本考案に係る手帳は、前記第１〜第４実施例に係る手帳において、予定記入部Ａを構成する５Ｗ１Ｈの各欄に、「対象欄（Ｗｈｏｍ（だれに））」を加えた６Ｗ１Ｈや、「程度欄（Ｈｏｗ  ｍｕｃｈ（どの程度の））」を加えた５Ｗ２Ｈや、これら両者を加えた６Ｗ２Ｈなどの構成としてもよい。
【符号の説明】
【００２５】
Ａ    予定記入部
１０  日時欄
２０  内容欄
３０  場所欄
４０  相手欄
５０  理由欄
６０  手段欄
Ｂ    自由記入部
７０  メモ部
８０  ＴＯＤＯ記入部
【図１】
0003205290.tif 000003
【手続補正書】
【提出日】平成28年5月18日(2016.5.18)
【手続補正１】
【補正対象書類名】実用新案登録請求の範囲
【補正対象項目名】全文
【補正方法】変更
【補正の内容】
【実用新案登録請求の範囲】
【請求項１】
１ページまたは見開きページの横方向に、少なくとも５Ｗ１Ｈの項目毎に区分けした欄を有する予定記入部を含むことを特徴とする、手帳。
【請求項２】
前記予定記入部が、１ページまたは見開きページの左から右に順に並べた日時欄、内容欄、場所欄、相手欄、理由欄および手段欄を少なくとも含むことを特徴とする、請求項１に記載の手帳。
【請求項３】
１ページまたは見開きページを１日分とし、
前記日時欄に、予め時刻を印刷してあることを特徴とする、請求項２に記載の手帳。
【請求項４】
１ページまたは見開きページを１週分、複数週分、１ヶ月分または１年分とし、
前記日時欄に、予め日付を印刷してあることを特徴とする、請求項２に記載の手帳。
【請求項５】
前記予定記入部の下方に、自由記入部を設けたことを特徴とする、請求項１乃至４のうち何れか１項に記載の手帳。